(57)【要約】【課題】少ないセル数の二次電池を用い、回路の簡素化を実現することで、全体コストを低減させた二次電池を用いた電源供給装置を提供すること。【解決手段】単数または複数の二次電池セルにより構成された複数の電池ユニットＵ１〜Ｕ４と、各電池ユニットに対して充電電流を供給する充電回路ｃｈ０と、各電池ユニットからの駆動電流を受ける負荷回路１２と、充電回路からの充電電流を各電池ユニットに供給する充電モード及び各電池ユニットから負荷回路に対して電流を供給する電流供給モードを択一的に切換えるモード切換え手段１１が備えられる。電流供給モードにおいては、各電池ユニットの正電圧同志及び負電圧同志をそれぞれ積み上げて接続することで、各電池ユニットの正極端子及び負極端子より複数の異なる値の正電圧及び負電圧をそれぞれ得て、負荷回路に供給する。【選択図】図３
2020018123.tif 000002
【特許請求の範囲】
【請求項１】
単数または複数の二次電池セルにより構成された複数の電池ユニットと、
前記各電池ユニットに対して充電電流を供給する充電回路と、
前記各電池ユニットからの駆動電流を受ける負荷回路と、
前記充電回路からの充電電流を各電池ユニットに供給する充電モード及び各電池ユニットから前記負荷回路に対して電流を供給する電流供給モードを択一的に切換えるモード切換え手段が備えられ、
前記モード切換え手段は、前記充電モードおいては、二次電池セルの数が等しい前記各電池ユニットに対して、共通の前記充電回路から充電電流を供給し、
前記電流供給モードにおいては、回路の基準電位点に対して、各電池ユニットの正電圧同志及び負電圧同志をそれぞれ積み上げて接続することで、各電池ユニットの正極端子及び負極端子より複数の異なる値の正電圧及び負電圧をそれぞれ得て、前記負荷回路に供給することを特徴とする二次電池を用いた電源供給装置。
【請求項２】
前記モード切換え手段には、一方が共にオン状態の時、他方が共にオフ状態にされる第１スイッチ群と第２スイッチ群が備えられ、
前記充電モードおいては、前記第１スイッチ群がそれぞれオンされると共に前記第２スイッチ群がそれぞれオフされて、前記各電池ユニットに対して前記充電回路が接続され、  前記電流供給モードにおいては、前記第１スイッチ群がそれぞれオフされると共に前記第２スイッチ群がそれぞれオンされて、前記各電池ユニットと負荷回路が接続されることを特徴とする請求項１に記載の二次電池を用いた電源供給装置。
【請求項３】
前記各電池ユニットはそれぞれ同数の二次電池セルにより構成され、前記充電モードにおいては、各電池ユニットに対して１つの充電回路からの充電電流が供給されることを特徴とする請求項１または請求項２に記載の二次電池を用いた電源供給装置。
【請求項４】
前記負荷回路は、オーディオアンプであることを特徴とする請求項１ないし請求項３のいずれか１項に記載の二次電池を用いた電源供給装置。
【発明の詳細な説明】
【技術分野】
【０００１】
この発明は、二次電池への充電と二次電池から負荷回路への電流供給との切換え機能を備えた二次電池を用いた電源供給装置に関する。
【背景技術】
【０００２】
二次電池を動作電源とするオーディオアンプが特許文献１に開示されている。二次電池は充電式電池であり、充電することにより繰り返し使える電池である。
このオーディオアンプによると、ドライバーアンプ及びパワーアンプを有し、これらドライバーアンプ及びパワーアンプの動作電源として、それぞれ二次電池による正負（±）の動作電源が備えられる。しかもドライバーアンプとパワーアンプに供給される動作電源の電圧値は異なる場合がある。
【先行技術文献】
【特許文献】
【０００３】
【特許文献１】特開平５−５８２２７号公報
【０００４】
前記したようなオーディオアンプを駆動するための二次電池を用いた電源供給装置によると、パワーアンプに対して供給する正（＋）電源としての単数または複数セルによる第１電池ユニットと、ドライバーアンプに対して供給する正（＋）電源としての単数または複数セルによる第２電池ユニット、また、パワーアンプに対して供給する負（−）電源としての単数または複数セルによる第３電池ユニットと、ドライバーアンプに対して供給する負（−）電源としての単数または複数セルによる第４電池ユニットが必要となる。セルとは二次電池の構成単位である。
【０００５】
一方、前記した第１〜第４電池ユニットの二次電池セルに対する充電回路は、正電源と負電源の極性が異なること、またパワーアンプ及びドライバーアンプ用の電池ユニットに対する充電電圧値がそれぞれ異なることから、前記した第１〜第４電池ユニットのそれぞれに対応して、専用の充電回路を備える必要がある。
【０００６】
図５は、前記した第１〜第４電池ユニットと、これら各電池ユニットへの充電回路と、特許文献１に示されたオーディオアンプを想定した負荷回路を備えた電源供給装置の一例をブロック図で示している。
図５におけるＲ１及びＲ３は、パワーアンプを想定した負荷回路を示しており、Ｒ１は正（＋）電源側の負荷回路であり、Ｒ３は負（−）電源側の負荷回路を示している。また、Ｒ２及びＲ４は、ドライバーアンプを想定した負荷回路を示しており、Ｒ２は正（＋）電源側の負荷回路であり、Ｒ４は負（−）電源側の負荷回路を示している。ドライバーアンプは、その後段にパワーアンプを接続して、パワーアンプをドライブ（駆動）するものである。
なお、図５に示す例は、パワーアンプに供給する動作電源電圧が±６．８Ｖであるのに対して、ドライバーアンプに供給する動作電源電圧が±１２Ｖに設定された電源供給装置を示している。
【０００７】
この例においては、二次電池として例えばリチウムイオン充電池が用いられ、パワーアンプを想定した正電源側の負荷回路Ｒ１には、２つの電池セルを直列接続した第１電池ユニットＵ１からの出力が供給される。すなわち、第１電池ユニットＵ１による正出力は、リレーｒ１（１回路２接点リレー）を介して定電圧回路Ｌ１に供給され、この定電圧回路Ｌ１において出力電圧が６．８Ｖに設定されて、負荷回路Ｒ１に供給される。
【０００８】
なお、図５のＵ１に記載の「２ｃｅｌｌ  ＲｅＢａ」とは、「２セルのＲｅｃｈａｒｇｅａｂｌｅ  Ｂａｔｔｅｒｙ」すなわち、２セルの再充電可能な電池を表わす。また、Ｌ１に記載の「ＬＤＯ」とは、「Ｌｏｗ  Ｄｒｏｐ  ＯＵＴ  Ｒｅｇｕｌａｔｏｒ」低ドロップアウトのレギュレーターを表わす。以下、Ｕ２〜Ｕ４の「ｃｅｌｌ  ＲｅＢａ」とＬ２〜Ｌ４の「ＬＤＯ」も同様である。
【０００９】
また、ドライバーアンプを想定した正電源側の負荷回路Ｒ２には、４つの電池セルを直列接続した第２電池ユニットＵ２からの出力が供給される。すなわち、第２電池ユニットＵ２による正出力は、リレー（１回路２接点リレー）ｒ２を介して定電圧回路Ｌ２に供給され、この定電圧回路Ｌ２において出力電圧が１２Ｖに設定されて、負荷回路Ｒ２に供給される。
なお、定電圧回路Ｌ１及びＬ２の出力端には、負荷変動に伴なうリップルの発生を抑制する平滑コンデンサＣ１，Ｃ２がそれぞれ接続されている。
【００１０】
また、パワーアンプを想定した負電源側の負荷回路Ｒ３には、２つの電池セルを直列接続した第３電池ユニットＵ３からの出力が供給される。すなわち、第３電池ユニットＵ３による負出力は、リレー（１回路２接点リレー）ｒ３を介して定電圧回路Ｌ３に供給され、この定電圧回路Ｌ３において出力電圧が−６．８Ｖに設定されて、負荷回路Ｒ３に供給される。
【００１１】
さらに、ドライバーアンプを想定した負電源側の負荷回路Ｒ４には、４つの電池セルを直列接続した第４電池ユニットＵ４からの出力が供給される。すなわち、第４電池ユニットＵ４による負出力は、リレー（１回路２接点リレー）ｒ４を介して定電圧回路Ｌ４に供給され、この定電圧回路Ｌ４において出力電圧が−１２Ｖに設定されて、負荷回路Ｒ４に供給される。
なお、定電圧回路Ｌ３及びＬ４の出力端には、負荷変動に伴なうリップルの発生を抑制する平滑コンデンサＣ３，Ｃ４がそれぞれ接続されている。
【００１２】
一方、前記した第１〜第４電池ユニットＵ１〜Ｕ４に対して充電をするには、第１〜第４電池ユニットＵ１〜Ｕ４は、それぞれ充電電圧値が異なると共に、極性も異なるために、第１〜第４電池ユニットＵ１〜Ｕ４に対して、それぞれ充電電圧値ならびに極性を合わせた第１〜第４の充電回路ｃｈ１〜ｃｈ４が必要となる。なお、「ｃｅｌｌ  ｃｈａ」とは、「２セルまたは４セル用のＣｈａｒｇｅｒ（充電器）」を表わす。
すなわち、第１電池ユニットＵ１には、前記リレーｒ１を介して第１の充電回路ｃｈ１より２つの電池セル分の正の充電電圧が供給される。また、第２電池ユニットＵ２には、前記リレーｒ２を介して第２の充電回路ｃｈ２より４つの電池セル分の正の充電電圧が供給される。
さらに、第３電池ユニットＵ３には、前記リレーｒ３を介して第３の充電回路ｃｈ３より２つの電池セル分の負の充電電圧が供給される。また、第４電池ユニットＵ４には、前記リレーｒ４を介して第４の充電回路ｃｈ４より４つの電池セル分の負の充電電圧が供給される。
【発明の概要】
【発明が解決しようとする課題】
【００１３】
前記したように、電池を動作電源とする例えばオーディオアンプを駆動する電源供給装置の構成としては、動作電圧が異なるパワーアンプ及びドライバーアンプに対して、それぞれ正負の電源（合計４電源）が必要となり、例えばヘッドホンアンプなどのように、数ワットの出力を得ることを前提としても、図５に例示するように１２セル分の二次電池が必要となる。
これに加えて、充電回路についても負電源側を構成する電池ユニットに対しては、負（−）電圧出力の充電回路が必要であり、このために回路構成も複雑になり、必然的に電源供給装置としてのコストアップは免れないものとなる。
【００１４】
この発明は、前記した実情に基づいてなされたものであり、より少ないセル数の二次電池を用いて、正負の多電圧電源を実現させると共に、充電回路の共用を図ることにより、回路の簡素化を実現し、これにより全体コストを低減させた二次電池を用いた電源供給装置を提供することを目的とするものである。
【課題を解決するための手段】
【００１５】
前記した課題を解決するためになされたこの発明に係る二次電池を用いた電源供給装置は、単数または複数の二次電池セルにより構成された複数の電池ユニットと、前記各電池ユニットに対して充電電流を供給する充電回路と、前記各電池ユニットからの駆動電流を受ける負荷回路と、前記充電回路からの充電電流を各電池ユニットに供給する充電モード及び各電池ユニットから前記負荷回路に対して電流を供給する電流供給モードを択一的に切換えるモード切換え手段が備えられ、前記モード切換え手段は、前記充電モードおいては、二次電池セルの数が等しい前記各電池ユニットに対して、共通の前記充電回路から充電電流を供給し、前記電流供給モードにおいては、回路の基準電位点に対して、各電池ユニットの正電圧同志及び負電圧同志をそれぞれ積み上げて接続することで、各電池ユニットの正極端子及び負極端子より複数の異なる値の正電圧及び負電圧をそれぞれ得て、前記負荷回路に供給することを特徴とする。
【００１６】
この場合、前記モード切換え手段には、一方が共にオン状態の時、他方が共にオフ状態にされる第１スイッチ群と第２スイッチ群が備えられ、前記充電モードおいては、前記第１スイッチ群がそれぞれオンされると共に前記第２スイッチ群がそれぞれオフされて、前記各電池ユニットに対して前記充電回路が接続され、前記電流供給モードにおいては、前記第１スイッチ群がそれぞれオフされると共に前記第２スイッチ群がそれぞれオンされて、前記各電池ユニットと負荷回路が接続される構成が採用される。
【００１７】
また、一つの好ましい実施の形態においては、前記各電池ユニットはそれぞれ同数の二次電池セルにより構成され、前記充電モードにおいては、各電池ユニットに対して１つの充電回路からの充電電流が供給されるように構成される。
そして、前記負荷回路の一例としてオーディオアンプを挙げることができ、各電池ユニットからの安定した正負の多電圧電源を受けて動作することで、高いＳ／Ｎ特性を保証することができるオーディオアンプが実現される。
【発明の効果】
【００１８】
前記したこの発明に係る二次電池を用いた電源供給装置によると、回路の基準電位点に対して、各電池ユニットの正電圧同志及び負電圧同志をそれぞれ積み上げて接続することで、正負の多電圧電源を得るので、各電池ユニットに用いられる二次電池セルの全体数を低減させることができる。
また、二次電池セルの数が等しい各電池ユニットに対して、共通の充電回路から充電電流を供給するようになされるので、充電回路の数も低減させることができる。
これにより、二次電池セルの全体数の低減と回路の簡素化を実現することができ、コストを低減させた二次電池を用いた電源供給装置を提供することが可能となる。
【図面の簡単な説明】
【００１９】
【図１】この発明に係る電源供給装置の好ましい例を示したブロック図である。
【図２】同じく電源供給装置の充電モードの状態を示した回路構成図である。
【図３】同じく電源供給装置の電流供給モードの状態を示した回路構成図である。
【図４】電源供給装置の負荷回路としてオーディオアンプを採用した例を示す回路構成図である。
【図５】この発明と比較することができる電源供給装置の一例を示したブロック図である。
【発明を実施するための形態】
【００２０】
この発明に係る二次電池を用いた電源供給装置について、図に示す実施の形態に基づいて説明する。なお、以下に示す図１〜図４においては、すでに説明した図５に示す各部に相当する部分を同一符号で示しており、したがってその説明は適宜省略する。
図１〜図３は、それぞれ同一構成の電源供給装置を示しており、図１は全体をブロック図で示し、また図２は充電回路からの充電電流を、各電池ユニットに供給する充電モードの状態を回路構成図で、さらに図３は各電池ユニットから、負荷回路に対して電流を供給する電流供給モードの状態を回路構成図で示している。
【００２１】
この実施の形態においては、図２及び図３に示されるように、第１〜第４電池ユニットＵ１〜Ｕ４は、全て２つのリチウムイオン電池セルを直列接続した構成が採用されている。また、図１に示すように第１〜第４電池ユニットＵ１〜Ｕ４の正極端子側と負極端子側には、それぞれリレーが配置されており、これらのリレースイッチ（接点）の組み合わせによって、図２及び図３に鎖線で囲んで示すモード切換え手段１１を構成している。
【００２２】
そして、モード切換え手段１１により、前記第１〜第４電池ユニットＵ１〜Ｕ４には、１つの充電回路ｃｈ０からの充電電流が供給されるように構成される。
一方、モード切換え手段１１により、第１電池ユニットＵ１と第２電池ユニットＵ２の各正極端子より異なる値の正電圧を、負荷回路Ｒ１，Ｒ２に対して供給し、さらに第３電池ユニットＵ３と第４電池ユニットＵ４の各負極端子より異なる値の負電圧を、負荷回路Ｒ３，Ｒ４に対して供給するように動作する。
【００２３】
以下、モード切換え手段１１の具体的な構成について説明する。
このモード切換え手段１１には、基本的には１回路２接点のリレーｒ１１、ｒ２１、ｒ２２、ｒ３１、ｒ３２、ｒ４１、ｒ４２が用いられ、例えば図１に示すリレーｒ１１に対応するリレースイッチ（接点）が、図２及び図３に示すｒ１１ａ，ｒ１１ｂとなる。すなわち、図１のリレーとして示す符号の末尾に“ａ”または“ｂ”を付けることで、リレーと図２、図３のリレースイッチの関係を関連付けている。
これは、図１に示す他のリレーｒ２１，ｒ２２，ｒ３１，ｒ３２，ｒ４１，ｒ４２と、図２及び図３に示す各リレースイッチとの関係においても同様である。
【００２４】
図２及び図３に示すリレースイッチの符号の下１桁が“ａ”である各リレースイッチが、第１スイッチ群を構成し、リレースイッチの符号の下１桁が“ｂ”である各リレースイッチが、第２スイッチ群を構成している。
これら第１スイッチ群と第２スイッチ群は、同期してオン、オフ制御され、一方のスイッチ群が共にオン状態の時には、他方のスイッチ群は共にオフ状態になされる。
【００２５】
そして、前記した充電モードにおいては、図２に示すように第１スイッチ群がそれぞれオンされると共に、前記第２スイッチ群がそれぞれオフされて、前記充電回路ｃｈ０に対して各電池ユニットＵ１〜Ｕ４が接続される。
また、前記した電流供給モードにおいては、図３に示すように第１スイッチ群がそれぞれオフされると共に、前記第２スイッチ群がそれぞれオンされて、前記各電池ユニットＵ１〜Ｕ４と負荷回路Ｒ１〜Ｒ４が接続される。
これにより充電モード及び電流供給モードが択一的に選択される。
【００２６】
充電モードを示す図２において、第１電池ユニットＵ１の負極端子は、回路の基準電位点ＧＮＤに接続されており、正極端子にはリレースイッチｒ１１ａを介して、充電回路ｃｈ０から充電電流が供給される。
また、第２電池ユニットＵ２の負極端子は、リレースイッチｒ２２ａを介して基準電位点ＧＮＤに接続され、正極端子にはリレースイッチｒ２１ａを介して、充電回路ｃｈ０から充電電流が供給される。
【００２７】
さらに、第３電池ユニットＵ３の負極端子は、リレースイッチｒ３２ａを介して基準電位点ＧＮＤに接続され、正極端子にはリレースイッチｒ３１ａを介して、充電回路ｃｈ０から充電電流が供給される。
さらにまた、第４電池ユニットＵ４の負極端子は、リレースイッチｒ４２ａを介して基準電位点ＧＮＤに接続され、正極端子にはリレースイッチｒ４１ａを介して、充電回路ｃｈ０から充電電流が供給される。
【００２８】
この実施の形態によると、前記第１〜第４電池ユニットＵ１〜Ｕ４は、全て同数（２セル）の二次電池セルにより構成されているので、各電池ユニットに対して必要とする充電電圧は略同一であり、したがって１つの充電回路ｃｈ０から、それぞれ充電電流を供給することができる。
【００２９】
一方、電流供給モードを示す図３の構成によると、負極端子が基準電位点ＧＮＤに接続された第１電池ユニットＵ１の正極端子は、リレースイッチｒ１１ｂを介して定電圧回路Ｌ１に接続され、定電圧回路Ｌ１による出力６．８Ｖが、第１の負荷回路Ｒ１に供給される。
また、第２電池ユニットＵ２の負極端子は、リレースイッチｒ２２ｂを介して第１電池ユニットＵ１の正極端子に接続されると共に、第２電池ユニットＵ２の正極端子は、リレースイッチｒ２１ｂを介して定電圧回路Ｌ２に接続される。したがって、定電圧回路Ｌ２には、回路の基準電位点ＧＮＤに対して、第１電池ユニットＵ１と第２電池ユニットＵ２の正電圧が積み上げられた電圧が供給され、これにより定電圧回路Ｌ２による出力１２Ｖが、第２の負荷回路Ｒ２に供給される。
【００３０】
さらに、第３電池ユニットＵ３の正極端子は、リレースイッチｒ３１ｂを介して基準電位点ＧＮＤに接続されると共に、第３電池ユニットＵ３の負極端子は、リレースイッチｒ３２ｂ及びｒ４１ｂを介して定電圧回路Ｌ３に接続され、定電圧回路Ｌ３による出力−６．８Ｖが、第３の負荷回路Ｒ３に供給される。
【００３１】
さらにまた、第４電池ユニットＵ４の正極端子は、リレースイッチｒ３２ｂを介して第３電池ユニットＵ３の負極端子に接続されると共に、第４電池ユニットＵ４の負極端子は、リレースイッチｒ４２ｂを介して定電圧回路Ｌ４に接続される。したがって、定電圧回路Ｌ４には、回路の基準電位点ＧＮＤに対して、第３電池ユニットＵ３と第４電池ユニットＵ４の負電圧が積み上げられた電圧が供給され、これにより定電圧回路Ｌ４による出力−１２Ｖが、第４の負荷回路Ｒ４に供給される。
【００３２】
この実施の形態によると、負荷回路Ｒ１，Ｒ２に対して供給する異なる値の正電圧は、第１電池ユニットＵ１と第２電池ユニットＵ２の正電圧を積み上げて、第１、第２電池ユニットＵ１，Ｕ２の各正極端子より得るようにしているので、正電圧側で必要とする電池セルの合計数を低減させることができる。
また、同様に負荷回路Ｒ３，Ｒ４に対して供給する異なる値の負電圧は、第３電池ユニットＵ３と第４電池ユニットＵ４の負電圧を積み上げて、第３、第４電池ユニットＵ３，Ｕ４の各負極端子より得るようにしているので、負電圧側で必要とする電池セルの合計数を低減させることができる。
【００３３】
図４は、前記した負荷回路としてオーディオアンプ１２を用いた例を示している。
なお図４においては、図３に示した充電回路ｃｈ０と、モード切換え手段１１の第１スイッチ群の記載は省略して示している。
そして、第２と第４の負荷回路Ｒ２，Ｒ４に代えて、ドライバーアンプＡ１が接続されており、このドライバーアンプＡ１の動作電源として、定電圧回路Ｌ２，Ｌ４からそれぞれ正負（±）の安定化電圧が供給される。
なお符号Ｓｉｎは、ドライバーアンプＡ１へのオーディオ信号の入力端子を示している。
【００３４】
また、図３に示した第１の負荷回路Ｒ１に代えて、非反転パワーアンプＡ２が接続されており、この非反転パワーアンプＡ２の動作電源として、定電圧回路Ｌ１からの安定化電圧が供給される。さらに図３に示した第３の負荷回路Ｒ３に代えて、反転パワーアンプＡ３が接続されており、この反転パワーアンプＡ３の動作電源として、定電圧回路Ｌ３からの安定化電圧が供給される。
【００３５】
そして、非反転パワーアンプＡ２と反転パワーアンプＡ３の出力端子間に、電気音響変換器ＳＰが接続されることで、非反転パワーアンプＡ２と反転パワーアンプＡ３により、ＢＴＬ（Ｂａｌａｎｃｅｄ  Ｔｒａｎｓｆｏｒｍｅｒ  Ｌｅｓｓ）アンプを構成している。
なお、非反転パワーアンプＡ２に接続されたＲ１１，Ｒ１２は、非反転パワーアンプＡ２の帰還抵抗素子であり、反転パワーアンプＡ３に接続されたＲ１３，Ｒ１４は、反転パワーアンプＡ３の帰還抵抗素子である。
前記したオーディオアンプ１２は、片チャンネル分を示しており、ステレオアンプとして利用するには、同様のオーディオアンプ１２をさらに用意することになる。
【００３６】
図４に示したようにオーディオアンプ１２の動作電源として、二次電池による電源供給装置を用いることで、商用ＡＣ電源から直流の動作電源を得る構成に比較して、ＡＣ電源の交流成分による影響を完全に排除することができ、高いＳ／Ｎ特性を保証することができるオーディオアンプを実現することができる。
この場合、図４に示すように、定電圧回路Ｌ１〜Ｌ４を備えることで、比較的低い周波数帯域のオーディオ信号を受けた時の負荷変動によって生ずる動作電源電圧の変動を、効果的に阻止することができる。
また、前記コンデンサＣ１〜Ｃ４を備えることで、比較的高い周波数帯域のオーディオ信号を受けた時の負荷変動に伴なうリップルの発生を効果的に抑制することができる。
【００３７】
なお、この発明に係る二次電池を用いた電源供給装置の負荷回路として、前記したオーディオアンプを例示したが、この負荷回路としてはオーディオアンプに限られることなく、正負の多電圧電源を利用しようとするその他の回路に対しても好適に採用することができる。この場合には、前記した定電圧回路Ｌ１〜Ｌ４とコンデンサＣ１〜Ｃ４を削除することもできる。
【００３８】
また、前記した実施の形態においては、２つの異なる値の正電圧及び負電圧をそれぞれ得る例を示しているが、これはさらに電池ユニットの数を増加させて、３つ以上の異なる値の正電圧及び負電圧をそれぞれ得る構成も採用し得る。
この場合、各電池ユニットを構成する二次電池セルの数も、単数もしくは必要に応じて３つ以上の適宜の数を採用することができる。
【符号の説明】
【００３９】
Ｕ１    第１電池ユニット
Ｕ２    第２電池ユニット
Ｕ３    第３電池ユニット
Ｕ４    第４電池ユニット
Ｒ１〜Ｒ４    負荷回路
Ｌ１〜Ｌ４    定電圧回路
Ｃ１〜Ｃ４    コンデンサ
ｒ２１〜ｒ４２    リレー
ｒ２１ａ〜ｒ４２ｂ    リレースイッチ
ｃｈ０  充電回路
１１    モード切換え手段
１２    負荷回路（オーディオアンプ）
Ａ１    ドライバーアンプ
Ａ２    非反転パワーアンプ
Ａ３    反転パワーアンプ
Ｒ１１〜Ｒ１４    帰還抵抗素子
Ｓｉｎ  信号入力端子
【図１】
2020018123.tif 000003
【図２】
2020018123.tif 000004
【図３】
2020018123.tif 000005
【図４】
2020018123.tif 000006
【図５】
2020018123.tif 000007